(57)【要約】【課題】角隅部に塵や埃が溜まり難く、塵や埃が溜まった際には掃除がし易い角隅部設置部材および角隅部設置部材を設置して成る階段構造体を提供すること。【解決手段】複数の面が一点に集中して成る角隅部に設置される角隅部設置部材であって、前記角隅部設置部材は、少なくとも、複数の面から成る角隅部のそれぞれの面と当接し、三角形状を有する板状の角隅覆い部から構成されている。【選択図】図１
0003135465.tif 000002
【実用新案登録請求の範囲】
【請求項１】
複数の面が一点に集中して成る角隅部に設置される角隅部設置部材であって、
前記角隅部設置部材は、
少なくとも前記角隅部を略隙間無く覆い隠す角隅覆い部を有することを特徴とする角隅部設置部材。
【請求項２】
前記角隅覆い部が、
前記角隅部を構成する複数の面に当接するように配設される板状体であることを特徴とする請求項１に記載の角隅部設置部材。
【請求項３】
前記板状体が、
前記角隅部を構成する複数の面と当接する箇所に貼着部を有することを特徴とする請求項２に記載の角隅部設置部材。
【請求項４】
前記角隅覆い部が、
前記角隅部と略相補形状を有する角隅部相補形状体であることを特徴とする請求項１に記載の角隅部設置部材。
【請求項５】
前記角隅部相補形状体が、
前記角隅部を構成する複数の面と当接する箇所に貼着部を有することを特徴とする請求項４に記載の角隅部設置部材。
【請求項６】
前記貼着部に、予め貼着部材が設けられていることを特徴とする請求項３または５に記載の角隅部設置部材。
【請求項７】
前記角隅覆い部が、前記角隅部に設置された状態において、前記角隅部を構成する複数の面と、略同色に彩色されていることを特徴とする請求項１から６のいずれかに記載の角隅部設置部材。
【請求項８】
請求項１から７に記載された角隅部設置部材を角隅部に設置してなることを特徴とする階段構造体。
【考案の詳細な説明】
【技術分野】
【０００１】  本考案は、階段や床などの角隅部に設置される角隅部設置部材、およびこの角隅部設置部材を角隅部に設置して成る階段構造体に関する。
【背景技術】
【０００２】  例えば居住空間において、階段や床などに代表されるあらゆる箇所には、複数の面から成る角隅部が存在する。この内、図４に示したように、階段における角隅部７は、略水平な踏み板１と、この踏み板１に対して略垂直に形成された蹴込み板２と、踏み板１と蹴込み板２の側部に位置し略垂直に形成された桁板３と、から構成されている。【０００３】  なお、上記した階段の角隅部７については、階段が真っ直ぐに進む部分では踏み板１の角が略９０度である。また、階段が曲がる部分では、例えば図５に示したように踏み板１の角が４５度であったり、図６に示したように６０度となっている。【０００４】  また、蹴込み板２が、踏み板１に対して９０度より僅かに小さい角度で手前に反り返って設置された階段もある。
ところで、このような階段の角隅部７は、歩行する箇所に比べて塵や埃が溜まりやすく、角隅部７に溜まった塵や埃は、掃除機やほうきなどを利用して掃除が行われている。
【考案の開示】
【考案が解決しようとする課題】
【０００５】  しかしながら、角隅部は、その先端部分において掃除機やほうきを使用してもこれらが完全には届かず、集塵が不十分であった。
一方、階段には多くの角隅部が集中して存在しているが、その空間は、ほとんど利用されていないのが現状である。【０００６】  本考案は、このような現状に鑑み、角隅部に塵や埃が溜まり難く、塵や埃が溜まった際には掃除がし易い角隅部設置部材およびそのような角隅部設置部材を設置して成る階段構造体を提供することを目的とする。
【課題を解決するための手段】
【０００７】  本考案は、前述したような従来技術における課題および目的を達成するために考案されたものであって、本考案の角隅部設置部材は、
複数の面が一点に集中して成る角隅部に設置される角隅部設置部材であって、
前記角隅部設置部材は、
少なくとも前記角隅部を略隙間無く覆い隠す角隅覆い部を有することを特徴とする。【０００８】  このように構成すれば、例えば階段などの角隅部に塵や埃が溜まり難くなるため、掃除の回数も従来に比べて減らすことができる。また、角隅部に角隅部設置部材を設置することで、角隅部の奥行きを浅くすることができるため、塵や埃は、掃除のし易い箇所にしか移動せず、結果として掃除を簡単に行うことができ、確実に集塵することができる。【０００９】  また、本考案の角隅部設置部材は、
前記角隅覆い部が、
前記角隅部を構成する複数の面に当接するように配設される板状体であることを特徴とする。【００１０】  このように角隅覆い部が板状体であれば、角隅部に簡単に設置することができる。
また、本考案の角隅部設置部材は、
前記板状体が、
前記角隅部を構成する複数の面と当接する箇所に貼着部を有することを特徴とする。【００１１】  このように角隅部を構成する複数の面と当接する箇所に、貼着部が有れば、貼着部に接着用テープや接着剤を付することで、板状体をこれら複数の面でしっかりと保持することができる。さらに、板状体と複数の面との間に生じ得る隙間をなくすことができ、塵や埃が溜まってしまうことを防止することができる。【００１２】  また、本考案の角隅部設置部材は、
前記角隅覆い部が、
前記角隅部と略相補形状を有する角隅部相補形状体であることを特徴とする。【００１３】  このように角隅覆い部が、角隅部相補形状体であれば、角隅部を角隅部相補形状体で埋めることができる。また、例えば掃除の際に掃除機がぶつかっても、壊れてしまう心配がない。【００１４】  また、本考案の角隅部設置部材は、
前記角隅部相補形状体が、
前記角隅部を構成する複数の面と当接する箇所に貼着部を有することを特徴とする。【００１５】  このように角隅部相補形状体の、角隅部を構成する複数の面と当接する箇所に貼着部が有れば、貼着部に接着用テープや接着剤を付することで、角隅部相補形状体をこれら複数の面でしっかりと保持することができる。さらに、角隅部相補形状体と複数の面との間に生じ得る僅かな隙間をなくすことができ、塵や埃が溜まってしまうことを防止することができる。【００１６】  また、本考案の角隅部設置部材は、
前記貼着部に、予め貼着部材が設けられていることを特徴とする。
このように角隅部設置部材の貼着部に予め貼着部材が備えられていれば、時間を要することなく手軽な作業のみで角隅部に角隅部設置部材を設置することができる。【００１７】  また、本考案の角隅部設置部材は、
前記角隅覆い部が、前記角隅部に設置された状態において、前記角隅部を構成する複数の面と、略同色に彩色されていることを特徴とする。【００１８】  このように角隅に防塵部材が角隅部を構成する複数の面と略同色に彩色されていれば、外観を損ねることがなく、審美性が良好である。
また、本考案の階段構造体は、
上記に記載された角隅部設置部材を角隅部に設置してなることを特徴とする。【００１９】  このように角隅部に角隅部設置部材を設置した階段構造体であれば、角隅部に塵や埃が溜まり難く、掃除のし易い階段構造体とすることができる。
【考案の効果】
【００２０】  本考案によれば、角隅部に塵や埃が溜まり難く、塵や埃が溜まった際には掃除がし易い角隅部設置部材および階段構造体を提供することができる。
【考案を実施するための最良の形態】
【００２１】  以下、本考案の実施の形態を図面に基づいてより詳細に説明する。
本考案は、階段や床などの角隅部に、例えば塵や埃を溜まり難くするための角隅部設置部材および階段構造体に関するものである。なお、本実施例においては、階段の角隅部に本考案の角隅部設置部材を設置した場合を例として説明するが、角隅部設置部材を設置する箇所については特に限定されるものではなく、構造物の如何なる角隅部へも適用できるものである。また、本明細書中で板状体とは、葉書程度の厚紙も含まれるものである。【００２２】  図１に一例を示したように、本考案の実施例である角隅部設置部材６は、階段において、踏み板１と蹴込み板２と桁板３の三面から成る角隅部７を覆い隠すように設置される。なお、階段の角隅部７については、背景技術の欄で図４を用いて説明したとおりであるため省略する。【００２３】  角隅部設置部材６は、図２に示したように、略三角形状を有する板状の角隅覆い部４と、蹴込み板２と桁板３にこの角隅覆い部４を貼着させるための糊しろの役目をする貼着部５が、二箇所形成されている。この貼着部５に、例えば両面粘着テープや接着剤などの貼着部材（図示せず）を付し、角隅部７を構成する面に角隅部設置部材６を設置することで、塵や埃の溜まりやすい角隅部７があたかもなくなったかのような状態とすることができる。【００２４】  なお、貼着部材は、貼着部５に予め付しておけば、角隅部７への設置が簡単である。この場合には、両面粘着テープの一方側面のみ貼着部５に貼着させておき、他方側面には保護テープを貼って粘着面を保護しておき、設置時に保護テープを剥離して使用するようにすれば良い。【００２５】  なお、本実施例においては、略三角形状を有する角隅覆い部４の二辺に貼着部５を設けている。これは角隅部設置部材６を取り付ける角隅は狭いので、三辺に貼着部材を予め付しておくと、角隅に密着して押し込む手前で貼り付いてしまうなど、工作がし難いからである。しかしながら、貼着部材を付する部分を工夫したり、この目的に合った貼着部材を使用すれば、三辺全てに貼着部５を設けても良く、どのような箇所にどのような形の貼着部５を設けるかについては限定されず、適宜選択が可能である。【００２６】  また、図１に示したように、角隅部７へ設置の際には、貼着部５が角隅覆い部４よりも外側に位置し、貼着部５が目視可能な状態であるが、貼着部５を内方に折り曲げて、角隅覆い部４の内側に位置するように設置することも可能である。この場合には、装着時において貼着部５が外側から見えないため、外観が良好である。もちろん、これら内側、外側に位置する貼着部５を組み合わせて設置することも可能である。【００２７】  このような角隅部設置部材６は、紙製、プラスチック製、木製のいずれかであることが好ましい。このような材質を用いれば、生産性が良好であり安価に角隅部設置部材６を製造することができる。【００２８】  なお、角隅部設置部材６が紙製の場合には、角隅部７の形状に合わせてある程度自由に形状を変化させることができ、汎用性の高い角隅部設置部材６とすることができる。また、角隅覆い部４と貼着部５との間に予め折れ目を入れることも容易であり、この折り目に沿って貼着部５を折り曲げれば、誰でも簡単に角隅部７へ角隅部設置部材６を設置することができる���【００２９】  さらに、角隅部設置部材６がプラスチック製の場合には、例えば射出成形などの方法で製造することができ、また表面に装飾を施すことも容易であり、審美性に優れた角隅部設置部材６とすることができる。【００３０】  また、角隅部設置部材６が木製の場合には、特に木製階段などの角隅部７に設置する際に、一体的とすることができ、違和感なく角隅部７に角隅部設置部材６を設置することができる。さらに、木製であれば、丈夫であるため、例えば掃除の際に掃除機が角隅部設置部材６にぶつかっても、破損することがなく、機能を長時間にわたって維持できる。【００３１】  さらに、このような角隅部設置部材６は、設置される角隅部７を構成する複数の面と同色に彩色することもでき、これによって、角隅部７に角隅部設置部材６を設置した際、外観が良好である。また、逆に全く異なる色に彩色すれば、インテリアとしても良好である。彩色の方法としては、特に限定されるものではなく、例えば塗料を塗布したり、模様をプリントしたりすることができる。さらにプラスチック製の場合には、色付きの樹脂を用いて成形することで彩色が可能である。【００３２】  さらに、例えば角隅部７における踏み板１の角度（例えば、略９０度、４５度、６０度）に合わせて、角度の異なる複数種類の角隅部設置部材６を製造すれば、様々なタイプの角隅部７に適応させることができ、汎用性を高めることができる。【００３３】  なお、上記した角隅部設置部材６は、略三角形状の角隅覆い部４を有するが、他にも図３に示したように、曲面を有する三次元形状の角隅覆い部４であっても良い。この場合には、糊しろとなる貼着部５を設けなくても良く、例えばプラスチックの射出成形で成形が可能である。このように角隅覆い部４が曲面を有する三次元形状であれば、審美性が良好で、従来利用されていなかった階段などの角隅部７に美観を持たせることができる。【００３４】  また、上記説明では、角隅部設置部材６は角隅覆い部４が板状体であるが、角隅部７と略相補形状を有する立体の角隅部相補形状体であっても良いものである。この場合、角隅部設置部材６は、角隅部７を構成する複数の面とそれぞれに面接触することとなるため、各面が貼着部材を付して設置するようにすれば良い。【００３５】  なお、この場合、角隅部設置部材６の材質としてはゴム、発泡樹脂、木塊などで形成することが好ましい。また、角隅部相補形状体は、中実体であっても中空体であってもかまわず、角隅部相補形状体に必要な強度、重さなどを鑑みて選択することが好ましい。【００３６】  以上、本考案の好ましい実施の態様を説明してきたが、本考案はこれに限定されることはなく、適宜選択が可能なものである。
例えば、ビルなどの場合には、初めからコンクリートや壁材などで階段や壁と一体化して作ることも可能である。また、階段、壁などのユニットごとに予め角隅部設置部材を設けた状態とすることも可能である。
【図面の簡単な説明】
【００３７】
【図１】図１は、本考案の実施例における角隅部設置部材の設置状況を説明する概略斜視図である。
【図２】図２は、本考案の角隅部設置部材の上面図である。
【図３】図３は、本考案の他の実施例における角隅部設置部材の設置状況を説明する概略斜視図である。
【図４】図４は、従来の階段における角隅部を説明する概略斜視図である。
【図５】図５は、階段の角隅部において、踏み板が略４５度で設置された場合を説明する平面図である。
【図６】図６は、階段の角隅部において、踏み板が略６０度で設置された場合を説明する平面図である。
【符号の説明】
【００３８】１・・・踏み板
２・・・蹴込み板
３・・・桁板
４・・・角隅覆い部
５・・・貼着部
６・・・角隅部設置部材
７・・・角隅部
【図１】
0003135465.tif 000003
【図２】
0003135465.tif 000004
【図３】
0003135465.tif 000005
【図４】
0003135465.tif 000006
【図５】
0003135465.tif 000007
【図６】
0003135465.tif 000008
【手続補正書】
【提出日】平成19年6月15日(2007.6.15)
【手続補正１】
【補正対象書類名】実用新案登録請求の範囲
【補正対象項目名】全文
【補正方法】変更
【補正の内容】
【実用新案登録請求の範囲】
【請求項１】
複数の面が一点に集中して成る角隅部に設置される角隅部設置部材であって、
前記角隅部設置部材は、
少なくとも、複数の面から成る角隅部のそれぞれの面と当接し、三角形状を有する板状の角隅覆い部から構成されていることを特徴とする角隅部設置部材。
【請求項２】
前記角隅覆い部には、
前記角隅部のそれぞれの面と当接する箇所の全てまたはいくつかに、これらの面と貼り合わされる貼着部が、形成されていることを特徴とする請求項１に記載の角隅部設置部材。
【請求項３】
複数の面が一点に集中して成る角隅部に設置される角隅部設置部材であって、
前記角隅部設置部材は、
少なくとも、複数の面から成る角隅部のそれぞれの面と当接して、前記角隅部を略隙間無く覆い隠すように設置され、
前記角隅部と略相補形状を有する角隅部相補形状体から構成されていることを特徴とする角隅部設置部材。
【請求項４】
前記角隅部相補形状体が、
前記角隅部を構成する複数の面と当接する箇所に貼着部を有することを特徴とする請求項３に記載の角隅部設置部材。
【請求項５】
前記貼着部に、予め貼着部材が設けられていることを特徴とする請求項２または４に記載の角隅部設置部材。
【請求項６】
前記角隅部設置部材が、前記角隅部に設置された状態において、前記角隅部を構成する複数の面と、略同色に彩色されていることを特徴とする請求項１から５のいずれかに記載の角隅部設置部材。
【請求項７】
請求項１から６に記載された角隅部設置部材を角隅部に設置してなることを特徴とする階段構造体。
【手続補正２】
【補正対象書類名】明細書
【補正対象項目名】０００７
【補正方法】変更
【補正の内容】
【０００７】  本考案は、前述したような従来技術における課題および目的を達成するために考案されたものであって、本考案の角隅部設置部材は、
複数の面が一点に集中して成る角隅部に設置される角隅部設置部材であって、
前記角隅部設置部材は、
少なくとも、複数の面から成る角隅部のそれぞれの面と当接し、三角形状を有する板状の角隅覆い部から構成されていることを特徴とする。
【手続補正３】
【補正対象書類名】明細書
【補正対象項目名】０００８
【補正方法】変更
【補正の内容】
【０００８】  このように構成すれば、例えば階段などの角隅部に塵や埃が溜まり難くなるため、掃除の回数も従来に比べて減らすことができる。また、角隅部に角隅部設置部材を設置することで、角隅部の奥行きを浅くすることができるため、塵や埃は、掃除のし易い箇所にしか移動せず、結果として掃除を簡単に行うことができ、確実に集塵することができる。
また、このように角隅覆い部が板状体であれば、角隅部に簡単に設置することができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】  また、本考案の角隅部設置部材は、
前記角隅覆い部には、
前記角隅部のそれぞれの面と当接する箇所の全てまたはいくつかに、これらの面と貼り合わされる貼着部が、形成されていることを特徴とする。
【手続補正６】
【補正対象書類名】明細書
【補正対象項目名】００１１
【補正方法】変更
【補正の内容】
【００１１】  このように角隅部を構成する複数の面と当接する箇所の全てまたはいくつかに、貼着部が有れば、貼着部に接着用テープや接着剤を付することで、板状体をこれら複数の面でしっかりと保持することができる。さらに、板状体と複数の面との間に生じ得る隙間をなくすことができ、塵や埃が溜まってしまうことを防止することができる。
【手続補正７】
【補正対象書類名】明細書
【補正対象項目名】００１２
【補正方法】変更
【補正の内容】
【００１２】  また、本考案の角隅部設置部材は、
複数の面が一点に集中して成る角隅部に設置される角隅部設置部材であって、
前記角隅部設置部材は、
少なくとも、複数の面から成る角隅部のそれぞれの面と当接して、前記角隅部を略隙間無く覆い隠すように設置され、
前記角隅部と略相補形状を有する角隅部相補形状体から構成されていることを特徴とする。
【手続補正８】
【補正対象書類名】明細書
【補正対象項目名】００１３
【補正方法】変更
【補正の内容】
【００１３】  このように角隅部設置部材が、角隅部相補形状体であれば、角隅部を角隅部相補形状体で埋めることができる。また、例えば掃除の際に掃除機がぶつかっても、壊れてしまう心配がない。
【手続補正９】
【補正対象書類名】明細書
【補正対象項目名】００１７
【補正方法】変更
【補正の内容】
【００１７】  また、本考案の角隅部設置部材は、
前記角隅部設置部材が、前記角隅部に設置された状態において、前記角隅部を構成する複数の面と、略同色に彩色されていることを特徴とする。
【手続補正１０】
【補正対象書類名】明細書
【補正対象項目名】００１８
【補正方法】変更
【補正の内容】
【００１８】  このように前記角隅部設置部材が、角隅部を構成する複数の面と略同色に彩色されていれば、外観を損ねることがなく、審美性が良好である。